(57)【特許請求の範囲】
【請求項１】
建物躯体に胴縁状具を介して複数のサイディングを取付けてなるサイディング取付け構造であって、
前記建物躯体の同一面に並べられた複数のサイディングと、
底面と四側面とから形成される箱型容器形状の一頂点を共有する底面および二側面から当該一頂点を含む当該底面および当該二側面の一部を切り取った切り欠き部を有する形状であり、前記サイディングの目地を挟んで当該切り欠き部を対向させた状態で、前記底面が上下逆方向となるように、前記二側面のうち一方の側面同士を対向させるとともに、前記二側面のうち他方の側面を前記建物躯体側に向けて、前記サイディングの裏面の端面側に、前記他方の側面と対向する側面が取付けられた一対の胴縁状具と、
板材と、当該板材の対角頂点を基点として対向二長辺のそれぞれの端部に前記板材に対し垂直かつ同一側に突設されて羽状突起とを有し、前記一対の銅縁状具の前記切り欠き部に差し込まれる押さえ具と、
前記一対の胴縁状具の対向する前記一方の側面に、それぞれ貼着されたガスケット係止部材と、
前記サイディングの目地に挿入され、前記サイディングの端面に一端部が密着するとともに、対向する前記ガスケット係止部材に他端部が噛合するガスケットとを備え、
前記押さえ具は、前記羽状突起を前記サイディング側に向けて、当該羽状突起が前記胴縁状具の内側の前記底面に当接する状態で、前記一対の胴縁状具の前記切り欠き部に差し込まれるとともに、前記胴縁状具の前記他方の側面を前記建物躯体に押し付けた状態で、当該板材の中央部が前記建物躯体に締付されている
ことを特徴とするサイディング取付け構造。
【請求項２】
前記ガスケットは、直方体形状の弾性体で形成されており、前記ガスケットの前記一端部を構成する前記弾性体の対向する所定の二面には、前記サイディングと密着する状態の翼状突起が設けられているとともに、前記他端部を構成する前記弾性体の前記二面と同一面には、三角形状突起が設けられており、
前記ガスケット係止部材の対向面は、直方体から複数の三角柱を切り取った形状で、前記がガスケットの三角形状突起に噛合する鋸歯状面を有する
ことを特徴とする請求項１記載のサイディング取付け構造。
【請求項３】
建物躯体に胴縁状具を介して複数のサイディングを取付けるサイディング取付け方法であって、
底面と四側面とから形成される箱型容器形状の一頂点を共有する底面および二側面から当該一頂点を含む当該底面および当該二側面の一部を切り取った切り欠き部を有する形状の一対の前記胴縁状具が、前記サイディングの目地を挟んで当該切り欠き部を対向させた状態で、前記底面が上下逆方向となるように、前記二側面のうち一方の側面にガスケット係り止め部材を貼着した状態でこの側面同士を対向させるとともに、前記二側面のうち他方の側面を前記建物躯体側に向けて、前記サイディングの裏面の端面側に、前記他方の側面と対向する側面が取付けられており、
前記サイディングの目地を挟んで前記ガスケット係止部材が対向するように、複数の前記サイディングを、同一面上に並べた状態で、前記胴縁状具の前記他方の側面を前記建物躯体に押し付ける第１工程と、
前記サイディングの目地に沿って、板材と当該板材の対角頂点を基点として対向二長辺のそれぞれの端部に前記板材に対し垂直かつ同一側に突設された羽状突起とを備えた押さえ具を、当該羽状突起を前記建物躯体とは反対側に向けた状態で、前記建物躯体に当接し、当該板状部材の中心部を前記建物躯体に回動自在に取付ける第２工程と、
前記羽状突起が前記胴縁状具の内側の底面に突き当たるまで、前記押さえ具を回転し、前記一対の胴縁状具の対向する前記切り欠き部に前記押さえ具を差し込む第３工程と、
前記胴縁状具を介して、前記押さえ具を建物躯体に締付し、前記サイディングの目地にガスケットを埋めながら、前記ガスケットの突起部を前記ガスケット係止部材に噛合させる第４工程とを有する
ことを特徴とするサイディング取付け方法。
【請求項４】
建物躯体に胴縁状具を介して複数のサイディングを取付けるサイディング取付け方法であって、
底面と四側面とから形成される箱型容器形状の一頂点を共有する底面および二側面から当該一頂点を含む当該底面および当該二側面の一部を切り取った切り欠き部を有する形状の一対の前記胴縁状具が、前記サイディングの目地を挟んで当該切り欠き部を対向させた状態で、前記底面が上下逆方向となるように、前記二側面のうち一方の側面にガスケット係り止め部材を貼着した状態でこの側面同士を対向させるとともに、前記二側面のうち他方の側面を前記建物躯体側に向けて、前記サイディングの裏面の端面側に、前記他方の側面と対向する側面が取付けられており、
前記建物躯体における前記サイディングの目地となる部分に、当該目地に沿うように、板材と当該板材の対角頂点を基点として対向二長辺のそれぞれの端部に前記板材に対し垂直かつ同一側に突設された羽状突起とを備えた押さえ具を、当該羽状突起を前記建物躯体とは反対側に向けた状態で当接し、当該板状部材の中心部を前記建物躯体に回動自在に取付ける第１工程と、
前記サイディングの目地を挟んで前記ガスケット係止部材が対向するように、複数の前記サイディングを、同一面上に並べた状態で、前記押さえ具が取付けられた前記建物躯体の前記押さえ具の両側に、前記胴縁状具の前記他方の側面を押し付ける第２工程と、
前記羽状突起が前記胴縁状具の内側の底面に突き当たるまで、前記押さえ具を回転し、前記一対の胴縁状具の対向する前記切り欠き部に前記押さえ具を差し込む第３工程と、
前記胴縁状具を介して、前記押さえ具を前記建物躯体に締付し、前記サイディングの目地にガスケットを埋めながら、前記ガスケットの突起部を前記ガスケット係止部材に噛合させる第４工程とを有する
ことを特徴とするサイディング取付け方法。
【発明の詳細な説明】
【０００１】
【発明の属する技術分野】
本発明は、雨仕舞いの乾式処理を兼ね備えたサイディング取付け構造及びその取付け方法に関する。
【０００２】
【従来の技術】
従来、多くのサイディングは胴縁を介して建物躯体に釘着されていた。そのサイディング相互間の目地の雨仕舞い処理は、前記目地にコーキング材等を埋めるのが通例であった。
【０００３】
【発明が解決しようとする課題】
しかしながら、サイディングに釘を打つとサイディングの表面に釘頭が露出して美観を損なう上に、少しでも美観を向上させるには後処理として釘頭を塗装する手間がかかると言う問題が生じる。またコーキング材等による目地の雨仕舞い処理はコーキング材を養生する手間やコーキング材の乾燥時間等が必要で課題となっていた。
【０００４】
【課題を解決するための手段】
本発明は、上記課題を解決するサイディング取付け構造及びその取付け方法である。
【０００５】
つまり、サイディング取付け構造にあっては、建物躯体に胴縁状具を介して複数のサイディングを取付けてなるサイディング取付け構造であって、前記建物躯体の同一面に並べられた複数のサイディングと、底面と四側面とから形成される箱型容器形状の一頂点を共有する底面および二側面から当該一頂点を含む当該底面および当該二側面の一部を切り取った切り欠き部を有する形状であり、前記サイディングの目地を挟んで当該切り欠き部を対向させた状態で、前記底面が上下逆方向となるように、前記二側面のうち一方の側面同士を対向させるとともに、前記二側面のうち他方の側面を前記建物躯体側に向けて、前記サイディングの裏面の端面側に、前記他方の側面と対向する側面が取付けられた一対の胴縁状具と、板材と、当該板材の対角頂点を基点として対向二長辺のそれぞれの端部に前記板材に対し垂直かつ同一側に突設されて羽状突起とを有し、前記一対の銅縁状具の前記切り欠き部に差し込まれる押さえ具と、前記一対の胴縁状具の対向する前記一方の側面に、それぞれ貼着されたガスケット係止部材と、前記サイディングの目地に挿入され、前記サイディングの端面に一端部が密着するとともに、対向する前記ガスケット係止部材に他端部が噛合するガスケットとを備え、前記押さえ具は、前記羽状突起を前記サイディング側に向けて、当該羽状突起が前記胴縁状具の内側の前記底面に当接する状態で、前記一対の胴縁状具の前記切り欠き部に差し込まれるとともに、前記胴縁状具の前記他方の側面を前記建物躯体に押し付けた状態で、当該板材の中央部が前記建物躯体に締付されていることを特徴とするサイディング取付け構造である。
【０００６】
そして、サイディング取付け方法においては、建物躯体に胴縁状具を介して複数のサイディングを取付けるサイディング取付け方法であって、底面と四側面とから形成される箱型容器形状の一頂点を共有する底面および二側面から当該一頂点を含む当該底面および当該二側面の一部を切り取った切り欠き部を有する形状の一対の前記胴縁状具が、前記サイディングの目地を挟んで当該切り欠き部を対向させた状態で、前記底面が上下逆方向となるように、前記二側面のうち一方の側面にガスケット係り止め部材を貼着した状態でこの側面同士を対向させるとともに、前記二側面のうち他方の側面を前記建物躯体側に向けて、前記サイディングの裏面の端面側に、前記他方の側面と対向する側面が取付けられており、前記サイディングの目地を挟んで前記ガスケット係止部材が対向するように、複数の前記サイディングを、同一面上に並べた状態で、前記胴縁状具の前記他方の側面を前記建物躯体に押し付ける第１工程と、前記サイディングの目地に沿って、板材と当該板材の対角頂点を基点として対向二長辺のそれぞれの端部に前記板材に対し垂直かつ同一側に突設された羽状突起とを備えた押さえ具を、当該羽状突起を前記建物躯体とは反対側に向けた状態で、前記建物躯体に当接し、当該板状部材の中心部を前記建物躯体に回動自在に取付ける第２工程と、前記羽状突起が前記胴縁状具の内側の底面に突き当たるまで、前記押さえ具を回転し、前記一対の胴縁状具の対向する前記切り欠き部に前記押さえ具を差し込む第３工程と、前記胴縁状具を介して、前記押さえ具を建物躯体に締付し、前記サイディングの目地にガスケットを埋めながら、前記ガスケットの突起部を前記ガスケット係止部材に噛合させる第４工程とを有することを特徴としたサイディング取付け方法である。
【０００７】
または、サイディングの取付け方法においては、建物躯体に胴縁状具を介して複数のサイディングを取付けるサイディング取付け方法であって、底面と四側面とから形成される箱型容器形状の一頂点を共有する底面および二側面から当該一頂点を含む当該底面および当該二側面の一部を切り取った切り欠き部を有する形状の一対の前記胴縁状具が、前記サイディングの目地を挟んで当該切り欠き部を対向させた状態で、前記底面が上下逆方向となるように、前記二側面のうち一方の側面にガスケット係り止め部材を貼着した状態でこの側面同士を対向させるとともに、前記二側面のうち他方の側面を前記建物躯体側に向けて、前記サイディングの裏面の端面側に、前記他方の側面と対向する側面が取付けられており、前記建物躯体における前記サイディングの目地となる部分に、当該目地に沿うように、板材と当該板材の対角頂点を基点として対向二長辺のそれぞれの端部に前記板材に対し垂直かつ同一側に突設された羽状突起とを備えた押さえ具を、当該羽状突起を前記建物躯体とは反対側に向けた状態で当接し、当該板状部材の中心部を前記建物躯体に回動自在に取付ける第１工程と、前記サイディングの目地を挟んで前記ガスケット係止部材が対向するように、複数の前記サイディングを、同一面上に並べた状態で、前記押さえ具が取付けられた前記建物躯体の前記押さえ具の両側に、前記胴縁状具の前記他方の側面を押し付ける第２工程と、前記羽状突起が前記胴縁状具の内側の底面に突き当たるまで、前記押さえ具を回転し、前記一対の胴縁状具の対向する前記切り欠き部に前記押さえ具を差し込む第３工程と、前記胴縁状具を介して、前記押さえ具を前記建物躯体に締付し、前記サイディングの目地にガスケットを埋めながら、前記ガスケットの突起部を前記ガスケット係止部材に噛合させる第４工程とを有することを特徴としたサイディング取付け方法である。
【０００８】
【発明の実施の形態】
本発明の実施の形態を図を用いて説明する。図１を用いてサイディング取り付け構造を説明し、図２を用いて、サイディングを取り付けるための部品の構造及びサイディング取り付け方法を説明する。図１に示すように本発明では、汎用な板状のサイディング１０がガスケット係止部材２１を備える胴縁状具２０と押さえ具３０とを介して通常の建物躯体４０に取り付けられる。そして上記サイディング１０の端面に翼状突起５１が密着するとともに、上記ガスケット係止部材２１に三角柱状突起５２が噛合する状態で、サイディング１０の目地にガスケット５０が嵌められる。
【０００９】
上記サイディング１０と建物躯体４０とは通常のものであるから、上記胴縁状具２０と押さえ具３０との形状を図２を用いて説明するとともに、併せてガスケット５０の形状も説明する。図２（ａ）及び図２（ｂ）に示すように、胴縁状具２０は、箱型容器形状の一頂点を共有する底面及び二側面から少なくとも断面Ｌ字状部材を切り取った形状の剛体からなり、所定側面には開孔２０ａが形成される。上記開孔２０ａの形成された所定側面と隣合う側面であって一部が切り取られた側面に、上記ガスケット５０と噛合可能な鋸歯面を有するガスケット係止部材２１が貼着される。なお上記箱型容器形状の底面は切り欠かれているので、曲部を有する部材の引っ掛け用の回り止め２２となる。
【００１０】
一方図２（ｂ）に示すように、押さえ具３０は、板材の対角頂点を基点として対向二長辺のそれぞれに羽状突起３１が、上記板材に対し垂直かつ同一側に、突設された形状の剛体である。このため回り止め２２に羽状突起３１を引っ掛けて、上記底面の切り欠かれた部分に上記板材を差すことができる。
【００１１】
そしてガスケット５０は直方体形状の弾性体からなり、場合によっては剛体例えば鉄からなる芯が埋め込まれる。しかも該直方体形状の対向する所定の二面には長辺に平行な状態で、複数の翼状突起５１及び複数の三角柱状突起５２が突設されており、しかも上記複数の翼状突起５１同士及び複数の三角柱状突起５２同士はそれぞれ該直方体形状を介して対向する。
【００１２】
上記説明の胴縁状具２０と押さえ具３０とガスケット５０とを用いて、サイディング１０を建物躯体４０に取り付ける方法を、再び図２に示しながら説明する。まず第一取り付け方法を説明する。図２（ａ）に示すようにガスケット係止部材２１を所定間隔を以て対向させ、しかも胴縁状具２０を上下逆方向に配置して開孔２０ａを同一面上に存在させる。胴縁状具２０のコ字状内側から開孔２０ａにビスを差込んで、サイディング１０の裏面の端面側に胴縁状具２０を取り付ける。この状態をサイディング１０の目地の真上から観察すると、サイディング１０の目地の幅よりもガスケット係止部材２１同士の間隔は僅かに狭い。
【００１３】
上記サイディング１０同士を同一面上に並べたまま、サイディング１０に取り付けられた複数の胴縁状具２０を建物躯体４０に押し付ける。このとき図２（ａ）には建物躯体４０を示さないが、図２（ａ）を載せた紙面の後ろ側にあるものとする。
【００１４】
次に図２（ｂ）に示すように、押さえ具３０をガスケット係止部材２１の間に差込み、図２（ａ）と同様、紙面の後ろ側の建物躯体４０に当接する。なお図２（ｂ）においては胴縁上具２０と押さえ具３０とのみを図に示す。しかしサイディング１０は図２（ａ）と同様であるとし、建物躯体４０に胴縁状具２０と押さえ具３０とが当接されるとする。
【００１５】
そして紙面の手前から開孔３０ａにビスを差し、紙面後方の建物躯体４０に押さえ具４０を回動自在に取り付ける。さらに羽状突起３１が回り止め２２に当接するまで、押さえ具３０を矢印の所定方向に回転させた後、押さえ具３０を建物躯体４０に締着する。
【００１６】
最後にサイディング１０の目地に対して、翼状突起５１を手前にして、先方の三角柱状突起５２がガスケット係止部材２１に噛合するまで、ガスケット５０を埋込む。このときサイディング１０の目地幅よりも翼状突起５１の先端同士の幅が僅かに広いために、翼状突起５２は僅かにたわんでサイディング１０の端面に密着する。この密着がサイディング１０の目地の雨仕舞い処理となる。
【００１７】
次に第二サイディング取り付け方法を、第一サイディング取り付け方法と同様に図２を用いて説明する。まず押さえ具３０を建物躯体４０に当接する（不図示）。なお押さえ具３０が回動自在であるならば、押さえ具３０を建物躯体４０に当接した後に開孔３０ａからビスを差込み、押さえ具３０を建物躯体４０に取り付けることも可能である。
【００１８】
そして第一取り付け方法と同様の手順で図２（ａ）に示すように、予め胴縁状具２０をサイディング１０に取り付ける。この予めサイディング１０を取り付けられた胴縁状具２０を、図２（ｂ）に示すように押さえ具３０の左右両側に所定間隔を以て配置するとともに第一取り付け方法と同様に紙面の後ろ側に在る建物躯体４０に当接する。
【００１９】
そして第一取り付け方法と同様に押さえ具３０を所定方向に回転させた後に３０ａに差込まれたビスによって、押さえ具３０を建物躯体４０に締着する。最後に第一取り付け方法と同様にガスケット５０をサイディング１０の目地に嵌め込み、サイディング１０の目地の雨仕舞い処理をする。
【００２０】
【発明の効果】
上記発明によって、サイディングの表面には釘頭等が露出せず、美観が向上するうえに釘頭を塗装する手間も不要である。しかもサイディングの目地にガスケットを埋込み、コーキング材等の不要な目地の雨仕舞い処理を行う。このためコーキング材の養生の手間を省けコーキング材の乾燥時間を要さず、容易に建物躯体にサイディングを取り付けることができる。
【図面の簡単な説明】
【図１】本発明のサイディング取付け構造の概略断面図である。
【図２】本発明の胴縁構成部品の斜視図である。
【符号の説明】
１０  サイディング
２０  胴縁状具
２１  ガスケット係止部材
３０  押さえ具
４０  建物躯体
５０  ガスケット
【図１】
0003930100.tif 000002
【図２】
0003930100.tif 000003